(57)【要約】【課題】静止画像が何時撮影されたものであるのかを、動画像を表示する表示画面内において確認する。【解決手段】制御装置（２）は、表示画面（３１）内の所定位置に、動画像の撮影中に撮影された静止画像のサムネイルを表示させるサムネイル表示処理と、このサムネイルを、所定の経路で等速移動させるサムネイル移動処理とを実行する。【選択図】図１
2019186827.tif 000002
【特許請求の範囲】
【請求項１】
少なくとも１つの撮像装置と、少なくとも１つの表示装置と、少なくとも１つの制御装置とを備えている電子機器であって、
上記制御装置は、
上記撮像装置が撮影中の動画像を表示する、上記表示装置の表示画面内の所定位置に、当該撮影中に上記撮像装置によって撮影された静止画像のサムネイルを表示させるサムネイル表示処理と、
上記サムネイル表示処理にて表示された上記サムネイルを、所定の経路で等速移動させるサムネイル移動処理とを実行することを特徴とする電子機器。
【請求項２】
上記制御装置は、
上記所定位置を起点として、上記所定の経路に沿って伸びるタイムラインを上記表示画面内に表示させるタイムライン表示処理を実行することを特徴とする請求項１に記載の電子機器。
【請求項３】
上記制御装置は、
上記サムネイルが上記タイムラインの終点まで移動したときに、上記サムネイルを上記表示画面内から消去するサムネイル消去処理を実行することを特徴とする請求項２に記載の電子機器。
【請求項４】
上記制御装置は、
上記サムネイルが上記タイムラインの終点まで移動したときに、上記サムネイルを上記表示画面内に表示させ続けるサムネイル継続表示処理を実行し、
上記サムネイル継続表示処理にて、
複数の上記静止画像のそれぞれから得られた上記サムネイルを、重ねて表示させることを特徴とする請求項２に記載の電子機器。
【請求項５】
上記制御装置は、
上記表示画面内における上記サムネイルの表示部分に物体が触れたときに、上記サムネイルに対応する上記静止画像に関する情報を上記表示画面内に表示させる情報表示処理を実行することを特徴とする請求項１から４のいずれか１項に記載の電子機器。
【請求項６】
上記制御装置は、
上記表示画面内における上記サムネイルの表示部分に物体が触れたときに、上記サムネイルの拡大および上記サムネイルの縮小の少なくとも一方を行うサムネイル拡大縮小処理を実行することを特徴とする請求項１から５のいずれか１項に記載の電子機器。
【請求項７】
少なくとも１つの撮像装置と、少なくとも１つの表示装置とを備えている電子機器を制御する制御装置であって、
上記撮像装置が撮影中の動画像を表示する、上記表示装置の表示画面内の所定位置に、当該撮影中に上記撮像装置によって撮影された静止画像のサムネイルを表示させるサムネイル表示部と、
上記サムネイル表示部によって表示された上記サムネイルを、所定の経路で等速移動させるサムネイル移動部とを備えていることを特徴とする制御装置。
【請求項８】
少なくとも１つの撮像装置と、少なくとも１つの表示装置とを備えている電子機器を制御する制御方法であって、
上記撮像装置が撮影中の動画像を表示する、上記表示装置の表示画面内の所定位置に、当該撮影中に上記撮像装置によって撮影された静止画像のサムネイルを表示させる工程と、
上記工程にて表示された上記サムネイルを、所定の経路で等速移動させる工程とを含んでいることを特徴とする制御方法。
【請求項９】
請求項１から６のいずれか１項に記載の電子機器を制御する制御プログラムであって、上記制御装置としてコンピュータを機能させるための制御プログラム。
【発明の詳細な説明】
【技術分野】
【０００１】
本発明は、電子機器、制御装置、制御方法、および制御プログラムに関する。
【背景技術】
【０００２】
特許文献１には、下記の技術が開示されている。すなわち、変化後に処理対象となるコンテンツの全部又は一部及び変化前に処理対象であったコンテンツの全部又は一部に関連するコンテンツと、変化後に処理対象となるコンテンツの全部又は一部に関連するコンテンツとのうち少なくとも一方と、変化後に処理対象となるコンテンツとをそれぞれ象徴化して仮想空間に配置する。そして、この仮想空間を表示可能な状態に可視化して、表示手段に表示させる。特許文献１に開示されている技術によれば、時間の経過に伴って変化し得るコンテンツについて、その変化に応じて関連性を可視化可能である。
【先行技術文献】
【特許文献】
【０００３】
【特許文献１】特開２０１０−２０４９４２号公報（２０１０年９月１６日公開）
【発明の概要】
【発明が解決しようとする課題】
【０００４】
特許文献１に開示されている技術においては、時間の経過に伴って変化し得るコンテンツの生成中に、別の画像を可視化させることができないという問題が発生する。このため、特許文献１に開示されている技術においては、動画像の撮影中に静止画像を撮影する機能において、動画像を表示する表示画面内に静止画像を表示させることができない。
【０００５】
従来、上記機能においては、直近に撮影された１枚の静止画像のサムネイルが、動画像を表示する表示画面内に表示され得るに過ぎなかったので、静止画像が何時撮影されたものであるのかを、動画像を表示する表示画面内において確認することができなかった。
【０００６】
本発明の一態様は、静止画像が何時撮影されたものであるのかを、動画像を表示する表示画面内において確認することができる、電子機器、制御装置、制御方法、および制御プログラムを実現することを目的とする。
【課題を解決するための手段】
【０００７】
上記の課題を解決するために、本発明の一態様に係る電子機器は、少なくとも１つの撮像装置と、少なくとも１つの表示装置と、少なくとも１つの制御装置とを備えている電子機器であって、上記制御装置は、上記撮像装置が撮影中の動画像を表示する、上記表示装置の表示画面内の所定位置に、当該撮影中に上記撮像装置によって撮影された静止画像のサムネイルを表示させるサムネイル表示処理と、上記サムネイル表示処理にて表示された上記サムネイルを、所定の経路で等速移動させるサムネイル移動処理とを実行することを特徴としている。
【０００８】
上記の課題を解決するために、本発明の一態様に係る制御装置は、少なくとも１つの撮像装置と、少なくとも１つの表示装置とを備えている電子機器を制御する制御装置であって、上記撮像装置が撮影中の動画像を表示する、上記表示装置の表示画面内の所定位置に、当該撮影中に上記撮像装置によって撮影された静止画像のサムネイルを表示させるサムネイル表示部と、上記サムネイル表示部によって表示された上記サムネイルを、所定の経路で等速移動させるサムネイル移動部とを備えていることを特徴としている。
【０００９】
上記の課題を解決するために、本発明の一態様に係る制御方法は、少なくとも１つの撮像装置と、少なくとも１つの表示装置とを備えている電子機器を制御する制御方法であって、上記撮像装置が撮影中の動画像を表示する、上記表示装置の表示画面内の所定位置に、当該撮影中に上記撮像装置によって撮影された静止画像のサムネイルを表示させる工程と、上記工程にて表示された上記サムネイルを、所定の経路で等速移動させる工程とを含んでいることを特徴としている。
【００１０】
上記の課題を解決するために、本発明の一態様に係る制御プログラムは、上記撮像装置を制御する制御プログラムであって、上記制御装置としてコンピュータを機能させるためのものである。
【発明の効果】
【００１１】
本発明の一態様によれば、静止画像が何時撮影されたものであるのかを、動画像を表示する表示画面内において確認することができる。
【図面の簡単な説明】
【００１２】
【図１】本発明の実施の形態に係る制御装置および電子機器の概略構成を示すブロック図である。
【図２】図１に示す制御装置および電子機器の動作の流れを示すフローチャートである。
【図３】図１に示す制御装置および電子機器の動作イメージを示す図であり、動画像の撮影開始前の表示画面を示している。
【図４】図１に示す制御装置および電子機器の動作イメージを示す図であり、動画像の撮影開始後かつ静止画像の撮影前の表示画面を示している。
【図５】図１に示す制御装置および電子機器の動作イメージを示す図であり、静止画像の撮影後かつ静止画像のサムネイルの縮小前の表示画面を示している。
【図６】図１に示す制御装置および電子機器の動作イメージを示す図であり、静止画像の撮影後かつ静止画像のサムネイルの縮小直後の表示画面を示している。
【図７】図１に示す制御装置および電子機器の動作イメージを示す図であり、図６から１０秒後の表示画面を示している。
【図８】図１に示す制御装置および電子機器の動作イメージを示す図であり、図７から２０秒後の表示画面を示している。
【図９】図１に示す制御装置および電子機器の動作イメージを示す図であり、図８後の静止画像の撮影後かつ静止画像のサムネイルの縮小前の表示画面を示している。
【図１０】図１に示す制御装置および電子機器の動作イメージを示す図であり、図８後の静止画像の撮影後かつ静止画像のサムネイルの縮小直後の表示画面を示している。
【図１１】図１に示す制御装置および電子機器の動作イメージを示す図であり、図１０から５０秒後の表示画面を示している。
【図１２】図１に示す制御装置および電子機器の動作イメージを示す図であり、図１１から１０秒後の表示画面を示している。
【発明を実施するための形態】
【００１３】
〔実施の形態１〕
本発明を実施するための形態について説明する。図１は、本発明の実施の形態に係る制御装置２および電子機器１００の概略構成を示すブロック図である。
【００１４】
電子機器１００は、カメラ部（撮像装置）１、制御装置２、表示装置３、動画像エンコーダー４、静止画像エンコーダー５、および記録部６を備えている。制御装置２は、例えばＣＰＵ（Central Processing Unit）またはＤＳＰ（Digital Signal Processor）によって構成されている。制御装置２は、サムネイル表示部２１、サムネイル移動部２２、タイムライン表示部２３、サムネイル消去部２４、サムネイル継続表示部２５、情報表示部２６、およびサムネイル拡大縮小部２７を有している。表示装置３は、表示画面３１を有している。
【００１５】
カメラ部１は、電子機器１００における動画像の撮影機能と、電子機器１００における静止画像の撮影機能とを有する。カメラ部１は、当該動画像の撮影機能と当該静止画像の撮影機能とを兼ね備えた１つのカメラモジュールによって構成されていてもよい。また、カメラ部１は、当該動画像の撮影機能を有するカメラモジュールと、当該静止画像の撮影機能を有するカメラモジュールとによって構成されていてもよい。
【００１６】
動画像エンコーダー４は、カメラ部１によって撮影された動画像の符号化および多重化を行い、符号化および多重化を行った動画像のデータを記録部６に記録させる。静止画像エンコーダー５は、カメラ部１によって撮影された静止画像の符号化を行い、符号化を行った静止画像のデータを記録部６に記録させる。記録部６は、例えば、フラッシュメモリ、ＲＡＭ（Random Access Memory）、またはＳＤカードによって構成されている。
【００１７】
サムネイル表示部２１は、サムネイル表示処理を実行する。サムネイル表示処理においては、電子機器１００が撮影中の動画像を表示する、表示画面３１内の所定位置に、当該動画像の撮影中に電子機器１００によって撮影された静止画像のサムネイルを表示させる。サムネイル移動部２２は、サムネイル移動処理を実行する。サムネイル移動処理においては、サムネイル表示部２１によって（サムネイル表示処理にて）表示された上記静止画像のサムネイルを、所定の経路で等速移動させる。タイムライン表示部２３は、タイムライン表示処理を実行する。タイムライン表示処理においては、上記所定位置を起点として、上記所定の経路に沿って伸びるタイムラインを上記表示画面３１内に表示させる。なお、タイムラインとは、時間軸を表す直線である。タイムラインには、経過時間を示す目盛が付されていてもよい。サムネイル消去部２４は、サムネイル消去処理を実行する。サムネイル消去処理においては、上記静止画像のサムネイルが上記タイムラインの終点まで移動したときに、上記静止画像のサムネイルを表示画面３１内から消去する。サムネイル継続表示部２５は、サムネイル継続表示処理を実行する。サムネイル継続表示処理においては、上記静止画像のサムネイルが上記タイムラインの終点まで移動したときに、上記静止画像のサムネイルを表示画面３１内に表示させ続ける。また、サムネイル継続表示処理においては、カメラ部１が複数の静止画像を撮影したとき、これらの静止画像のそれぞれから得られたサムネイルを、重ねて表示させる。
【００１８】
表示装置３は、表示画面３１に、カメラ部１が捉えている画像と、電子機器１００における各種機能の実行を指示するためのアイコンとを表示させるものであり、ビュー表示モニタとも呼ばれる。また、表示装置３は、表示画面３１に表示された当該アイコンを押下することによって、当該アイコンと対応付けられた機能を実行させることができる。つまり、表示装置３は、表示画面３１をタッチパネルとして機能させるタッチパネルシステムである。情報表示部２６は、情報表示処理を実行する。情報表示処理においては、表示画面３１内における上記静止画像のサムネイルの表示部分がタッチされた（物体が触れた）ときに、このサムネイルに対応する静止画像に関する情報を表示画面３１内に表示させる。サムネイル拡大縮小部２７は、サムネイル拡大縮小処理を実行する。サムネイル拡大縮小処理においては、表示画面３１内における上記静止画像のサムネイルの表示部分がタッチされたときに、このサムネイルの拡大および／または縮小を行う。
【００１９】
図２は、制御装置２および電子機器１００の動作の流れを示すフローチャートである。まず、動画像の撮影を開始した後、タイムライン表示部２３は、表示画面３１に、タイムラインを表示させる（ステップＳ１）。また、ステップＳ１において、タイムライン表示部２３は、表示画面３１に、撮影開始からの経過時間（撮影時間）を表示させる。
【００２０】
続いて、制御装置２は、カメラ部１によって撮影された動画像を動画像エンコーダー４に送信する（ステップＳ２）。制御装置２がステップＳ２を行う技術については、周知技術の範囲内であるため、詳細な説明を省略する。続いて、制御装置２は、カメラ部１による動画像の撮影が停止されているか否かを判定する（ステップＳ３）。制御装置２がステップＳ３を行う技術については、周知技術の範囲内であるため、詳細な説明を省略する。カメラ部１による動画像の撮影が停止されている（ステップＳ３の結果がＹＥＳである）場合、動画像エンコーダー４は、当該動画像の符号化および多重化を行い、符号化および多重化を行った動画像のデータを記録部６に記録させる（ステップＳ４）。ステップＳ４の後、動画像の撮影を終了する。
【００２１】
カメラ部１による動画像の撮影が停止されていない（ステップＳ３の結果がＮＯである）場合、制御装置２は、カメラ部１による静止画像の撮影が行われたか否かを判定する（ステップＳ５）。制御装置２がステップＳ５を行う技術については、周知技術の範囲内であるため、詳細な説明を省略する。
【００２２】
カメラ部１による静止画像の撮影が行われた（ステップＳ５の結果がＹＥＳである）場合、制御装置２は、当該静止画像を静止画像エンコーダー５に送信し、静止画像エンコーダー５は、当該静止画像の符号化を行い、符号化を行った静止画像のデータを記録部６に記録させる（ステップＳ６）。制御装置２がステップＳ６における対応する処理を行う技術については、周知技術の範囲内であるため、詳細な説明を省略する。続いて、制御装置２は、当該静止画像のサムネイルを、表示画面３１内に表示させる（ステップＳ７）。制御装置２がステップＳ７を行う技術については、周知技術の範囲内であるため、詳細な説明を省略する。なお、ステップＳ７において表示画面３１内に表示される当該サムネイルのサイズは、表示画面３１の大部分を占める程度に大きい。
【００２３】
続いて、サムネイル表示部２１は、ステップＳ７において表示画面３１内に表示された上記サムネイルのサイズを縮小し、上記タイムラインの起点に移動（表示）させる（ステップＳ８）。続いて、サムネイル移動部２２は、上記タイムラインの起点に移動された当該サムネイルを、当該タイムラインに沿って等速移動させる（ステップＳ９）。ステップＳ９の後、ステップＳ２に移行する。
【００２４】
カメラ部１による静止画像の撮影が行われていない（ステップＳ５の結果がＮＯである）場合、サムネイル消去部２４は、上記サムネイルが上記タイムラインの終点まで移動しているか否かを判定する（ステップＳ１０）。当該サムネイルが当該タイムラインの終点まで移動している（ステップＳ１０の結果がＹＥＳである）場合、サムネイル消去部２４は、当該サムネイルを表示画面３１内から消去する（ステップＳ１１）。当該サムネイルが当該タイムラインの終点まで移動していない（ステップＳ１０の結果がＮＯである）場合、もしくは、ステップＳ１１の後、ステップＳ２に移行する。
【００２５】
ここからは、表示画面３１内に表示される内容を参照しながら、制御装置２および電子機器１００のより具体的な動作イメージについて説明する。図３は、制御装置２および電子機器１００の動作イメージを示す図であり、動画像の撮影開始前の表示画面３１を示している。表示画面３１内には、カメラ部１が捉えている画像と共に、動画像撮影開始アイコン３２が表示されている。動画像撮影開始アイコン３２を押下することによって、カメラ部１による動画像の撮影が開始する。
【００２６】
図４は、制御装置２および電子機器１００の動作イメージを示す図であり、動画像の撮影開始後かつ静止画像の撮影前の表示画面３１を示している。表示画面３１内には、カメラ部１が捉えている画像と共に、タイムライン表示部２３によって表示されたタイムライン３３および撮影開始からの経過時間３４、動画像撮影終了アイコン３５、ならびに静止画像撮影アイコン３６が表示されている。タイムライン３３は、表示画面３１内の向かって右上（所定位置に対応）にある起点３７から、表示画面３１内の向かって左上にある終点３８まで、向かって右から左（所定の経路に沿った経路に対応）に伸びている。また、動画像撮影終了アイコン３５を押下することによって、カメラ部１による動画像の撮影が終了する。一方、静止画像撮影アイコン３６を押下することによって、カメラ部１による静止画像の撮影が行われる。カメラ部１による動画像の撮影を終了させることなく、静止画像撮影アイコン３６を押下することによって、電子機器１００は、カメラ部１によって、動画像を撮影しながら静止画像を撮影することができる。
【００２７】
図５は、制御装置２および電子機器１００の動作イメージを示す図であり、静止画像の撮影後かつ静止画像のサムネイル３９の縮小前の表示画面３１を示している。表示画面３１内には、サムネイル３９が、表示画面３１の大部分を占める程度に大きいサイズで表示されている。
【００２８】
図６は、制御装置２および電子機器１００の動作イメージを示す図であり、静止画像の撮影後かつ静止画像のサムネイル３９の縮小直後の表示画面３１を示している。図６においては、サムネイル表示部２１がサムネイル３９のサイズを縮小し、タイムライン３３の起点３７に移動させる様子を示している。
【００２９】
なお、サムネイル３９を、表示画面３１の大部分を占める程度に大きいサイズで表示することは、省略されてもよい。この場合、サムネイル表示部２１は、表示画面３１内への表示時点ですでに小さいサイズであるサムネイル３９を、タイムライン３３の起点３７に移動させる。後述するサムネイル４０についても同様である。
【００３０】
また、タイムライン３３の起点３７は、表示画面３１内の向かって右上以外に位置していてもよい。例えば、タイムライン３３の起点３７は、表示画面３１内の向かって右下に位置していてもよいし、表示画面３１内の中央付近、もしくは表示画面３１内の向かって左側に位置していてもよい。また、タイムライン３３が伸びている方向についても、向かって右から左に限定されず、どのような方向であってもよい。つまり、タイムライン３３は、表示画面３１内で任意のレイアウトとすることが可能なものである。さらに、１つのタイムライン３３を複数に分割して表示させてもよいし、複数のサムネイル３９を別々のタイムライン３３の起点３７に移動させる等の目的でタイムライン３３を複数表示させてもよい。
【００３１】
図７は、制御装置２および電子機器１００の動作イメージを示す図であり、図６から１０秒後の表示画面３１を示している。図８は、制御装置２および電子機器１００の動作イメージを示す図であり、図７から２０秒後の表示画面３１を示している。図７および図８においては、サムネイル移動部２２が、サムネイル３９を、タイムライン３３に沿って等速移動させる様子を示している。例えば、タイムライン３３の１目盛りを１０秒とすると、図８においてサムネイル３９は、タイムライン３３の起点３７からタイムライン３３の３目盛り分移動していることとなる。
【００３２】
図９は、制御装置２および電子機器１００の動作イメージを示す図であり、図８後の静止画像の撮影後かつ静止画像のサムネイル４０の縮小前の表示画面３１を示している。表示画面３１内には、サムネイル４０が、表示画面３１の大部分を占める程度に大きいサイズで表示されている。
【００３３】
図１０は、制御装置２および電子機器１００の動作イメージを示す図であり、図８後の静止画像の撮影後かつ静止画像のサムネイル４０の縮小直後の表示画面３１を示している。図１０においては、サムネイル表示部２１がサムネイル４０のサイズを縮小し、タイムライン３３の起点３７に移動させる様子を示している。
【００３４】
図１１は、制御装置２および電子機器１００の動作イメージを示す図であり、図１０から５０秒後の表示画面３１を示している。図１１においては、サムネイル移動部２２が、サムネイル３９および４０を、タイムライン３３に沿って等速移動させる様子を示している。なお、サムネイル３９のタイムライン３３に沿った移動速度と、サムネイル４０のタイムライン３３に沿った移動速度とは、同じである。例えば、タイムライン３３の１目盛りを１０秒とすると、図１１においてサムネイル３９は、タイムライン３３の起点３７からタイムライン３３の８目盛り分移動していることとなり、図１１においてサムネイル４０は、タイムライン３３の起点３７からタイムライン３３の５目盛り分移動していることとなる。
【００３５】
図１２は、制御装置２および電子機器１００の動作イメージを示す図であり、図１１から１０秒後の表示画面３１を示している。図１２においては、タイムライン３３の起点３７〜終点３８間が９０秒に対応する例、換言すれば、静止画像の撮影から９０秒後に当該静止画像のサムネイルを消去させる例を示している。図１２においては、サムネイル消去部２４が、サムネイル３９を表示画面３１の左外側に移動させるような演出によって、サムネイル３９を表示画面３１内から消去させる様子を示している。
【００３６】
サムネイル消去部２４がサムネイル３９を表示画面３１内から消去させる演出については、特に限定されない。例えば、サムネイル消去部２４は、サムネイル３９をフェードアウトさせることによって、サムネイル３９を表示画面３１内から消去させてもよい。
【００３７】
また、図１２において、サムネイル消去部２４がサムネイル３９を表示画面３１内から消去させる替わりに、サムネイル継続表示部２５によって以下の処理を行ってもよい。すなわち、サムネイル継続表示部２５は、サムネイル３９がタイムライン３３の終点３８まで移動したときに、サムネイル３９を表示画面３１内に表示させ続ける。また、その後、サムネイル継続表示部２５は、サムネイル４０がタイムライン３３の終点３８まで移動したときに、サムネイル４０を表示画面３１内に表示させ続ける。このとき、サムネイル継続表示部２５は、サムネイル３９とサムネイル４０とを重ねて、例えばタイムライン３３の終点３８上またはその近傍に表示させる。
【００３８】
また、表示画面３１内におけるサムネイル３９の表示部分にタッチしたとき、情報表示部２６が、サムネイル３９に対応する静止画像に関する情報を表示画面３１内に表示させてもよい。当該情報として、撮影日時、およびデータサイズ等が挙げられる。さらに、表示画面３１内におけるサムネイル３９の表示部分にタッチしたとき、サムネイル拡大縮小部２７が、サムネイル３９を拡大させてもよいし、サムネイル３９を縮小させてもよい。サムネイル４０についても同様である。
【００３９】
制御装置２および電子機器１００のそれぞれは、サムネイル表示部２１およびサムネイル移動部２２がそれぞれサムネイル表示処理およびサムネイル移動処理を実行する。このため、サムネイル３９および４０のそれぞれは、動画像を表示する表示画面３１内においてタイムライン３３の起点３７からタイムライン３３に沿って等速移動することで、表示画面３１内において撮影からの経過時間と関連付けられた状態で表示される。従って、サムネイル３９および４０のそれぞれの位置に応じて、静止画像が何時撮影されたものであるのかを、動画像を表示する表示画面３１内において確認することができる。
【００４０】
制御装置２および電子機器１００のそれぞれは、タイムライン表示部２３がタイムライン表示処理を実行する。このため、サムネイル３９および４０のそれぞれを、動画像を表示する表示画面３１内においてタイムライン３３に沿って移動させることができる。従って、静止画像が何時撮影されたものであるのかを、表示画面３１内においてより簡単に確認することができる。
【００４１】
制御装置２および電子機器１００のそれぞれは、サムネイル消去部２４がサムネイル消去処理を実行する。このため、表示画面３１内からサムネイル３９および４０を消去することができるので、表示画面３１内に多数のサムネイルが表示されることで表示画面３１が見辛くなることを防ぐことができる。
【００４２】
制御装置２および電子機器１００のそれぞれは、サムネイル継続表示部２５がサムネイル継続表示処理を実行する。このため、表示画面３１内にてサムネイル３９とサムネイル４０とを重ねて表示させることができるので、表示画面３１内に多数のサムネイルが表示されていても表示画面３１が見辛くなることを防ぐことができる。
【００４３】
制御装置２および電子機器１００のそれぞれは、情報表示部２６が情報表示処理を実行する。このため、サムネイル３９に対応する静止画像に関する情報を、表示画面３１内に表示させることができる。サムネイル４０についても同様である。
【００４４】
制御装置２および電子機器１００のそれぞれは、サムネイル拡大縮小部２７がサムネイル拡大縮小処理を実行する。このため、サムネイル３９を拡大および／または縮小させることができる。サムネイル４０についても同様である。
【００４５】
〔実施の形態２〕
制御装置２の制御ブロックは、ＤＳＰ等のハードウェアによって実現してもよいし、ソフトウェアによって実現してもよい。
【００４６】
後者の場合、電子機器１００は、各機能を実現するソフトウェアであるプログラムの命令を実行するコンピュータを備えている。このコンピュータは、例えば少なくとも１つのプロセッサを備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵを用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭなどをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００４７】
〔まとめ〕
本発明の態様１に係る電子機器は、少なくとも１つの撮像装置（カメラ部１）と、少なくとも１つの表示装置と、少なくとも１つの制御装置とを備えている電子機器であって、上記制御装置は、上記撮像装置が撮影中の動画像を表示する、上記表示装置の表示画面内の所定位置に、当該撮影中に上記撮像装置によって撮影された静止画像のサムネイルを表示させるサムネイル表示処理と、上記サムネイル表示処理にて表示された上記サムネイルを、所定の経路で等速移動させるサムネイル移動処理とを実行する。
【００４８】
上記の構成によれば、静止画像のサムネイルは、動画像を表示する表示画面内において所定位置から所定の経路で等速移動することで、表示画面内において撮影からの経過時間と関連付けられた状態で表示される。従って、当該サムネイルの位置に応じて、静止画像が何時撮影されたものであるのかを、動画像を表示する表示画面内において確認することができる。
【００４９】
本発明の態様２に係る電子機器は、上記態様１において、上記制御装置は、上記所定位置を起点として、上記所定の経路に沿って伸びるタイムラインを上記表示画面内に表示させるタイムライン表示処理を実行する。
【００５０】
上記の構成によれば、静止画像のサムネイルを、動画像を表示する表示画面内においてタイムラインに沿って移動させることができる。従って、静止画像が何時撮影されたものであるのかを、表示画面内においてより簡単に確認することができる。
【００５１】
本発明の態様３に係る電子機器は、上記態様２において、上記制御装置は、上記サムネイルが上記タイムラインの終点まで移動したときに、上記サムネイルを上記表示画面内から消去するサムネイル消去処理を実行する。
【００５２】
上記の構成によれば、表示画面内から静止画像のサムネイルを消去することができるので、表示画面内に多数のサムネイルが表示されることで表示画面が見辛くなることを防ぐことができる。
【００５３】
本発明の態様４に係る電子機器は、上記態様２において、上記制御装置は、上記サムネイルが上記タイムラインの終点まで移動したときに、上記サムネイルを上記表示画面内に表示させ続けるサムネイル継続表示処理を実行し、上記サムネイル継続表示処理にて、複数の上記静止画像のそれぞれから得られた上記サムネイルを、重ねて表示させる。
【００５４】
上記の構成によれば、表示画面内にて複数のサムネイルを重ねて表示させることができるので、表示画面内に多数のサムネイルが表示されていても表示画面が見辛くなることを防ぐことができる。
【００５５】
本発明の態様５に係る電子機器は、上記態様１から４のいずれかにおいて、上記制御装置は、上記表示画面内における上記サムネイルの表示部分に物体が触れたときに、上記サムネイルに対応する上記静止画像に関する情報を上記表示画面内に表示させる情報表示処理を実行する。
【００５６】
上記の構成によれば、サムネイルに対応する静止画像に関する情報を、表示画面内に表示させることができる。
【００５７】
本発明の態様６に係る電子機器は、上記態様１から５のいずれかにおいて、上記制御装置は、上記表示画面内における上記サムネイルの表示部分に物体が触れたときに、上記サムネイルの拡大および上記サムネイルの縮小の少なくとも一方を行うサムネイル拡大縮小処理を実行する。
【００５８】
上記の構成によれば、サムネイルを拡大および／または縮小させることができる。
【００５９】
本発明の態様７に係る制御装置は、少なくとも１つの撮像装置と、少なくとも１つの表示装置とを備えている電子機器を制御する制御装置であって、上記撮像装置が撮影中の動画像を表示する、上記表示装置の表示画面内の所定位置に、当該撮影中に上記撮像装置によって撮影された静止画像のサムネイルを表示させるサムネイル表示部と、上記サムネイル表示部によって表示された上記サムネイルを、所定の経路で等速移動させるサムネイル移動部とを備えている。
【００６０】
上記の構成によれば、静止画像が何時撮影されたものであるのかを、動画像を表示する表示画面内において確認することができる制御装置を実現することができる。
【００６１】
本発明の態様８に係る制御方法は、少なくとも１つの撮像装置と、少なくとも１つの表示装置とを備えている電子機器を制御する制御方法であって、上記撮像装置が撮影中の動画像を表示する、上記表示装置の表示画面内の所定位置に、当該撮影中に上記撮像装置によって撮影された静止画像のサムネイルを表示させる工程と、上記工程にて表示された上記サムネイルを、所定の経路で等速移動させる工程とを含んでいる。
【００６２】
上記の構成によれば、静止画像が何時撮影されたものであるのかを、動画像を表示する表示画面内において確認することができる制御方法を実現することができる。
【００６３】
本発明の態様９に係る制御プログラムは、上記態様１から６のいずれかの電子機器を制御する制御プログラムであって、上記制御装置としてコンピュータを機能させるためのものである。
【００６４】
上記の構成によれば、静止画像が何時撮影されたものであるのかを、動画像を表示する表示画面内において確認することができる制御プログラムを実現することができる。
【００６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６６】
１  カメラ部（撮像装置）
２  制御装置
３  表示装置
２１  サムネイル表示部
２２  サムネイル移動部
２３  タイムライン表示部
２４  サムネイル消去部
２５  サムネイル継続表示部
２６  情報表示部
２７  サムネイル拡大縮小部
３１  表示画面
３３  タイムライン
３７  タイムラインの起点
３８  タイムラインの終点
３９、４０  サムネイル
１００  電子機器
【図１】
2019186827.tif 000003
【図２】
2019186827.tif 000004
【図３】
2019186827.tif 000005
【図４】
2019186827.tif 000006
【図５】
2019186827.tif 000007
【図６】
2019186827.tif 000008
【図７】
2019186827.tif 000009
【図８】
2019186827.tif 000010
【図９】
2019186827.tif 000011
【図１０】
2019186827.tif 000012
【図１１】
2019186827.tif 000013
【図１２】
2019186827.tif 000014